(57)【要約】  本発明の集塵機用フィルタ支持構造は、下端支持部と、上端支持部と、前記下端支持部と前記上端支持部とを連結する連結部と、内側に前記連結部が挿入され、蛇腹状の星状に形成されるように多数の内外側突出部が形成されたフィルタと、前記フィルタの長さ方向に沿って離隔して設けられており、前記フィルタの外周面に積もった異物の除去時に前記貫通孔を介して圧縮空気が投入される際に、前記フィルタの形状を保持させ、且つ前記フィルタが元の状態に復元するようにする多数のバネと、前記フィルタの外側突出部の何れか１つに固定され、前記バネをそれぞれ固定させる多数のバネ固定具と、を含む。
2019517388.tif 000002
【特許請求の範囲】
【請求項１】
下端に備えられ、円形プレートからなる下端支持部１０と、
前記下端支持部１０と離隔して上端に備えられ、中央には空気が排出される貫通孔２１が形成された円形プレートからなる上端支持部２０と、
前記貫通孔２１と同一のサイズを有して前記下端支持部１０と前記上端支持部２０とを連結し、網の形態からなる連結部３０と、
内側に前記連結部３０が挿入され、両側端部が前記下端支持部１０の上部と上端支持部２０の下部にそれぞれ接着されており、周方向に沿って内側および外側に交互に蛇腹状をなす星状に形成されるように、内側および外側にそれぞれ突出して形成された多数の内、外側突出部４１、４２を有するフィルタ４０と、
前記フィルタ４０の長さ方向に沿って多数個が離隔して設けられ、前記フィルタ４０の外周縁に接して設けられることで、前記フィルタ４０の外周面に積もった異物の除去時に前記貫通孔２１を介して圧縮空気が投入される際に、前記フィルタ４０が外側に拡開することを拘束することで前記フィルタ４０の形状を保持させ、前記フィルタ４０が元の状態に復元するように弾性力を提供するものであって、コイル状からなるバネ５０と、
前記フィルタ４０の外側突出部４１の何れか１つに固定され、それぞれの前記バネ５０の両端部をそれぞれ固定させる多数個のバネ固定具６０と、
を含んでなることを特徴とする集塵機用フィルタ支持構造。
【請求項２】
前記バネ固定具６０は、
板状からなり、前記バネ５０の両端部に備えられたコイル５１が前記外側突出部４１の両側に接した状態で、前記外側突出部４１の両側にそれぞれ接するように設けられ、両側に結合孔６１ａがそれぞれ形成された一対のバネ用固定板６１と、
それぞれの前記バネ用固定板６１の結合孔６１ａにそれぞれ結合され、一対の前記バネ用固定板６１を互いに固定締結させる締結部６４と、を含んでなり、
前記外側突出部４１には、前記結合孔６１ａと相応するように、前記締結部６４が挿入される挿入孔４１ａが形成されたことを特徴とする請求項１に記載の集塵機用フィルタ支持構造。
【請求項３】
前記バネ固定具６０は、
板状からなり、前記外側突出部４１に垂直するように設けられ、左右両側には、前記バネ５０の両端部に備えられたコイル５１が載置されて固定されるバネ固定溝６２ａがそれぞれ備えられ、中央下端から上部に長く形成され、前記外側突出部４１が挿入されて載置されるように形成された外側突出部挿入溝６２ｂを有するバネ固定板６２と、
板状からなり、前記外側突出部４１の両側に接してそれぞれ設けられ、それらを互いに結合するための結合孔６３ａが両側にそれぞれ形成され、中央下端から上部に長く形成され、前記バネ固定板６２が挿入されるように形成されたバネ固定板挿入溝６３ｂを有する一対の外側突出部固定用固定板６３と、
それぞれの前記外側突出部固定用固定板６３の結合孔６３ａにそれぞれ結合され、一対の前記外側突出部固定用固定板６３を互いに固定締結させる締結部６４と、を含んでなり、
前記外側突出部４１は、前記結合孔６３ａと相応し、前記締結部６４が挿入されるように形成された挿入孔４１ａを有することを特徴とする請求項１に記載の集塵機用フィルタ支持構造。
【請求項４】
前記バネ固定板６２は、前記バネ固定板挿入溝６３ｂに挿入された前記バネ固定板６２に一対の外側突出部固定用固定板６３の上部が載置されるようにすることで、前記バネ固定板６２の前記フィルタ４０の長さ方向における左右流動を防止するように中央上端に形成された固定板載置溝６２ｃをさらに有することを特徴とする請求項３に記載の集塵機用フィルタ支持構造。
【請求項５】
前記バネ５０の１つのコイル５１と、それと隣接したコイル５１との間に、１つの前記外側突出部４１がそれぞれ挿入されることを特徴とする請求項２または請求項３に記載の集塵機用フィルタ支持構造。
【請求項６】
それぞれの前記バネ固定具６０に固定されるそれぞれのバネ５０の個数は、１つであることを特徴とする請求項１から請求項４のいずれかに記載の集塵機用フィルタ支持構造。
【請求項７】
それぞれの前記バネ固定具６０の個数は、２個〜５個であり、等角度を成し、前記フィルタ４０の外側突出部４１に固定され、
前記バネ固定具６０に固定されるそれぞれの前記バネ５０の個数は、それぞれの前記バネ固定具６０の個数と相応するように備えられることを特徴とする請求項１から請求項４のいずれかに記載の集塵機用フィルタ支持構造。
【請求項８】
前記フィルタ４０は、板状からなるフィルタが、周方向に沿って内側および外側に交互に蛇腹状をなす星状に形成されるように、内側および外側にそれぞれ突出した多数の内外側突出部４１が形成されるように折り畳まれて形成され、側端部の部位に位置した外側突出部４１を互いに長さ方向に接着または裁縫する接着部４１ｂを備えて円筒状に形成され、
前記バネ固定具６０の外側突出部固定用固定板６３は、接着部が備えられた前記フィルタ４０の外側突出部４１に固定されるようにすることを特徴とする請求項２または請求項３に記載の集塵機用フィルタ支持構造。
【請求項９】
前記バネ５０の離隔距離は、前記下端支持部１０の方向に向かって次第に減少することを特徴とする請求項１から請求項４のいずれか一項に記載の集塵機用フィルタ支持構造。
【発明の詳細な説明】
【技術分野】
【０００１】
本発明は、集塵機用フィルタ支持構造に関し、より詳細には、フィルタに詰まった塵埃や微粒子などを除去するために、衝撃波が発生するように圧縮空気を逆方向に周期的に供給する際に、供給される圧縮空気によるフィルタの拡開や潰れなどの現象を防止することで、フィルタの形状を保持させるとともに、フィルタが元の形状に復帰するようにした集塵機用フィルタ支持構造に関する。
【背景技術】
【０００２】
集塵機は、空気に含有されている塵埃や微粒子などを除去して空気を浄化させる装置であって、フィルタを備えることが一般的である。
【０００３】
近年、フィルタが空気と接する面積を広げて集塵効率を向上させるために、ジグザグ状として横断面の形状が星状となるようにしている。
【０００４】
また、フィルタの材質としては、低温用としてポリエステル、ポリプロピレン、高温用としてメタ−アラミド（ｍｅｔａ−ａｒａｍｉｄｅ）、ポリフェニレンスルフィド（ｐｏｌｙ  ｐｈｅｎｙｌｅｎｅ  ｓｕｌｆｉｄｅ；ｐｐｓ）などのような合成樹脂が用いられている傾向にある。
【０００５】
かかるフィルタは、フィルタの外側から内側に空気を吸入し、空気に含有されている塵埃や微粒子などを除去する。この際、塵埃、微粒子などがフィルタの外周面に積もり、集塵効率が低下するため、フィルタの外周面に積もった塵埃や微粒子などを除去するためのポリシング作業を行うことになる。
【０００６】
ポリシング作業では、フィルタの内部に圧縮空気を間歇的に供給してフィルタに衝撃波が発生するようにすることで、フィルタに詰まった塵埃や微粒子などを除去する。
【０００７】
この際、フィルタをジグザグ状として横断面の形状が星状であるため、内部に圧縮空気を間歇的に供給すると、フィルタが膨張することとなり、フィルタの横断面形状が星状を保持できず、フィルタが拡開してしまう現象が発生する。このようにフィルタが拡開すると、ポリエステル、ポリプロピレン、メタ−アラミド（ｍｅｔａ−ａｒａｍｉｄｅ）、ポリフェニレンスルフィド（ｐｏｌｙ  ｐｈｅｎｙｌｅｎｅ  ｓｕｌｆｉｄｅ；ｐｐｓ）などのような合成樹脂材からなるフィルタが、元の形状に復帰しにくくなる。特に、集塵容量を大きくするために、長さの長いフィルタで構成する場合には、ポリシングの作業時にフィルタが拡開する現象が顕著となる。
【０００８】
このような現象を防止するために、従来は、フィルタの外周面に、手作業によってフィルタの長さ方向に一定間隔を置いて紐で縛って用いていた。
【０００９】
しかし、このような紐は、長期間使用すると解けたり切れてしまうため、根本的な対策にはならないという問題がある。
【００１０】
上記の問題を改善するために、本出願人が出願して登録を受けた韓国登録特許第１０−１５４７６７１号（発明の名称：集塵機用フィルタ）が開示されている。
【００１１】
前記集塵機用フィルタは、フィルタの外周面に積もった異物の除去時に、貫通孔を介して圧縮空気が投入される際に前記フィルタが外側に拡開することを拘束することで、前記フィルタの形状を保持させるフィルタ形状保持部が備えられており、前記フィルタ形状保持部は、縦部材と円形リングまたは螺旋状リングからなる。
【００１２】
上記のように構成された集塵機用フィルタは、フィルタに詰まった塵埃や微粒子などを除去するために、衝撃波が発生するように圧縮空気を逆方向に周期的に供給する際に、供給される圧縮空気によるフィルタの拡開や潰れなどの現象を防止してフィルタの形状を保持させることで、フィルタの寿命を延ばすことができる効果がある。
【００１３】
しかし、前記フィルタ形状保持部がフィルタの外側に固定設置され、フィルタの外周面に積もった異物の除去時に前記貫通孔を介して圧縮空気が投入される際に、前記フィルタが外側に拡開することを拘束することになるが、フィルタが周方向に沿って内側および外側に交互に蛇腹状をなす星状からなるため、圧縮空気が投入される際に、前記フィルタの星状に突出された部位が、縦部材と円形リングまたは螺旋状リングと衝突して摩耗され、頻繁な掃除時に衝突部位の摩耗によって損傷し、激しい場合にはフィルタが破れてしまうという問題がある。
【００１４】
軟質フィルタの場合、フィルタ形状保持部である縦部材と円形リングまたは螺旋状リングとの衝突部位に傷が生じ、繰り返される衝突によってフィルタが凹陥する変形が発生する結果、フィルタの形状が保持されにくいという問題がある。
【００１５】
尚、フィルタは、ジグザグ状として横断面の形状が星状を有するが、圧縮空気を間歇的に供給するとフィルタが膨張し、フィルタが膨張する際に、縦部材と円形リングまたは螺旋状リングからなるフィルタ形状保持部の拘束やフィルタ自体の弾性により、フィルタの膨張が抑えられる。しかし、ポリシング後には、フィルタの星状に突出した部位の間隔が狭いか広い部位が生じ、軸対称を成すことができなくなるという問題がある。このようにフィルタの横断面の形状が軸対称を成せないと、集塵時に塵埃などがフィルタの外周縁で均一に濾過されず、フィルタの星状に突出した部位の間隔が広い所に集中され、効率的に濾過されないという問題がある。
【００１６】
かかる現象を防止するために、フィルタの横断面形状と同一の星状のリングをフィルタの外周縁と接するように設ける場合もあるが、この場合にも、上述の縦部材と円形リングまたは螺旋状リングからなるフィルタ形状保持部の問題と同様に、ポリシング時に星状のリングによってフィルタに傷が残るか、星状のリングとフィルタの繰り返される衝突によってフィルタが凹陥して変形したりして、激しい場合にはフィルタが破れてしまう損傷が発生するという問題がある。
【発明の概要】
【発明が解決しようとする課題】
【００１７】
本発明の目的は、フィルタに詰まった塵埃や微粒子などを除去するために、衝撃波が発生するように圧縮空気を逆方向に周期的に供給する際に、供給される圧縮空気によるフィルタの拡開や潰れなどの現象を防止してフィルタの形状を保持させること同時に, フィルタの変形や損傷を防止するようにした集塵機用フィルタ支持構造を提供することにある。 
【００１８】
また、本発明の他の目的は、圧縮空気によるポリシング後に、フィルタが元の状態に復元するようにすることで、効率的な濾過を可能とした集塵機用フィルタ支持構造を提供することにある。
【課題を解決するための手段】
【００１９】
本発明による集塵機用フィルタ支持構造は、下端に備えられ、円形プレートからなる下端支持部１０と、前記下端支持部１０と離隔して上端に備えられ、中央には空気が排出される貫通孔２１が形成された円形プレートからなる上端支持部２０と、前記貫通孔２１と同一のサイズを有して前記下端支持部１０と前記上端支持部２０とを連結し、網の形態からなる連結部３０と、内側に前記連結部３０が挿入され、両側端部が前記下端支持部１０の上部と上端支持部２０の下部にそれぞれ接着されており、周方向に沿って内側および外側に交互に蛇腹状をなす星状に形成されるように、内側および外側にそれぞれ突出して形成された多数の内、外側突出部４１、４２を有するフィルタ４０と、前記フィルタ４０の長さ方向に沿って多数個が離隔して設けられ、前記フィルタ４０の外周縁に接して設けられることで、前記フィルタ４０の外周面に積もった異物の除去時に前記貫通孔２１を介して圧縮空気が投入される際に、前記フィルタ４０が外側に拡開することを拘束することで前記フィルタ４０の形状を保持させ、前記フィルタ４０が元の状態に復元するように弾性力を提供するものであって、コイル状からなるバネ５０と、前記フィルタ４０の外側突出部４１の何れか１つに固定され、それぞれの前記バネ５０の両端部をそれぞれ固定させる多数個のバネ固定具６０と、を含んでなることを特徴とする。
【００２０】
この際、前記バネ固定具６０は、 板状からなり、前記外側突出部４１に垂直するように設けられ、左右両側には、前記バネ５０の両端部に備えられたコイル５１が載置されて固定されるバネ固定溝６２ａがそれぞれ備えられ、中央下端から上部に長く形成され、前記外側突出部４１が挿入されて載置されるように形成された外側突出部挿入溝６２ｂを有するバネ固定板６２と、板状からなり、前記外側突出部４１の両側に接してそれぞれ設けられ、それらを互いに結合するための結合孔６３ａが両側にそれぞれ形成され、中央下端から上部に長く形成され、前記バネ固定板６２が挿入されるように形成されたバネ固定板挿入溝６３ｂを有する一対の外側突出部固定用固定板６３と、それぞれの前記外側突出部固定用固定板６３の結合孔６３ａにそれぞれ結合され、一対の前記外側突出部固定用固定板６３を互いに固定締結させる締結部６４と、を含んでなり、前記外側突出部４１は、前記結合孔６３ａと相応し、前記締結部６４が挿入されるように形成された挿入孔４１ａを有することを特徴とする。
【００２１】
また、前記バネ固定板６２は、前記バネ固定板挿入溝６３ｂに挿入された前記バネ固定板６２に一対の外側突出部固定用固定板６３の上部が載置されるようにすることで、前記バネ固定板６２の前記フィルタ４０の長さ方向における左右流動を防止するように中央上端に形成された固定板載置溝６２ｃをさらに有することを特徴とする。
【００２２】
また、前記バネ５０の１つのコイル５１と、それと隣接したコイル５１との間に、１つの前記外側突出部４１がそれぞれ挿入されることを特徴とする。
【００２３】
尚、それぞれの前記バネ固定具６０に固定されるそれぞれのバネ５０の個数は、１つであることを特徴とする。
【００２４】
また、それぞれの前記バネ固定具６０の個数は、２個〜５個であり、等角度を成し、前記フィルタ４０の外側突出部４１に固定され、前記バネ固定具６０に固定されるそれぞれの前記バネ５０の個数は、それぞれの前記バネ固定具６０の個数と相応するように備えられてもよい。
【００２５】
また、前記フィルタ４０は、板状からなるフィルタが、周方向に沿って内側および外側に交互に蛇腹状をなす星状に形成されるように、内側および外側にそれぞれ突出した多数の内外側突出部４１が形成されるように折り畳まれて形成され、側端部の部位に位置した外側突出部４１を互いに長さ方向に接着または裁縫する接着部４１ｂを備えて円筒状に形成され、前記バネ固定具６０の外側突出部固定用固定板６３は、接着部４１ｂが備えられた前記フィルタ４０の外側突出部４１に固定されるようにすることを特徴とする。
【００２６】
尚、前記バネ５０の離隔距離は、前記下端支持部１０の方向に向かって次第に減少することを特徴とする。
【発明の効果】
【００２７】
本発明は、フィルタに詰まった塵埃や微粒子などを除去するために、衝撃波が発生するように圧縮空気を逆方向に周期的に供給する際に、供給される圧縮空気によるフィルタの拡開や潰れなどの現象を防止することで、フィルタの形状を保持することができる。
【００２８】
ポリシング時に、縦部材と円形リングまたは螺旋状リングからなるフィルタ形状保持部の拘束によってフィルタの膨張が抑えられる従来のフィルタ支持構造とは異なって、フィルタ４０の膨張による変形および損傷をバネ５０の弾性により防止することができ、ポリシング時にフィルタに傷が残るか、星状のリングとフィルタの繰り返される衝突によってフィルタが凹陥する変形または破れる損傷が全然ないため、フィルタの寿命を延ばすことができる効果がある。
【００２９】
また、バネの弾性により、圧縮空気によって変形されたフィルタが元の状態に復元するようにし、ポリシング後に、星状に突出した部位の間隔が狭いか広い部位が生じて軸対称が成されなくなる従来のフィルタ支持構造とは異なって、星状に突出した部位の間隔が一定に維持されるようにすることで、効率的な濾過が可能であるため、集塵効率を高めることができる。
【図面の簡単な説明】
【００３０】
【図１】本発明による集塵機用フィルタ支持構造を示した斜視図である。
【図２】本発明による集塵機用フィルタ支持構造を示した斜視図である。
【図３】本発明による集塵機用フィルタ支持構造を示した縦断面図である。
【図４】本発明による集塵機用フィルタ支持構造を示した分解斜視図である。
【図５】本発明による集塵機用フィルタ支持構造を示した分解斜視図である。
【図６】本発明による集塵機用フィルタ支持構造を示した横断面図である。
【図７】本発明による他の形態の集塵機用フィルタ支持構造を示した分解斜視図である。
【図８】本発明による他の形態の集塵機用フィルタ支持構造を示した分解斜視図である。
【図９】本発明による他の形態の集塵機用フィルタ支持構造を示した横断面図である。
【図１０】本発明によるさらに他の形態の集塵機用フィルタ支持構造を示した横断面図である。
【発明を実施するための形態】
【００３１】
以下、添付図面を参照して本発明の集塵機用フィルタ支持構造を説明する。
【００３２】
図１は本発明による集塵機用フィルタ支持構造を示した斜視図であり、図２は本発明による集塵機用フィルタ支持構造を示した斜視図であり、図３は本発明による集塵機用フィルタ支持構造を示した縦断面図であり、図４は本発明による集塵機用フィルタ支持構造を示した分解斜視図であり、図５は本発明による集塵機用フィルタ支持構造を示した分解斜視図であり、図６は本発明による集塵機用フィルタ支持構造を示した横断面図であり、図７は本発明による他の形態の集塵機用フィルタ支持構造を示した分解斜視図であり、図８は本発明による他の形態の集塵機用フィルタ支持構造を示した分解斜視図であり、図９は本発明による他の形態の集塵機用フィルタ支持構造を示した横断面図であり、図１０は本発明によるさらに他の形態の集塵機用フィルタ支持構造を示した横断面図である。
【００３３】
本発明による集塵機用フィルタ支持構造は、大きく、図１のように、下端支持部１０と、上端支持部２０と、連結部３０と、フィルタ４０と、バネ５０と、バネ固定具６０と、を含んでなる。
【００３４】
前記下端支持部１０は下端に備えられ、円形プレートからなる。また、前記下端支持部１０は、外周面から上部に突出して形成された第１外側リム（ｒｉｍ）１１と、前記第１外側リム１１の内側に一定距離離隔して円形をなし、上部に突出して形成された第１内側リム１２と、を備える（図３参照）。
【００３５】
前記第１外側リム１１には、後述の連結部３０の下端が固定される。
【００３６】
前記第１外側リム１１と前記第１内側リム１２との間には第１接着部１３が備えられており、前記第１接着部１３にはフィルタ４０の下端が接着される。また、前記第１内側リム１２には後述の連結部３０の下端が収容され、前記第１内側リム１２の内側が連結部３０の下部と接して前記第１接着部１３により互いに固定される。
【００３７】
前記上端支持部２０は、前記下端支持部２１と離隔して上端に備えられ、円形プレートからなる。前記上端支持部２０の中央には、前記第１内側リム１２と同一の直径で形成され、空気が排出される貫通孔２１が形成される。また、前記上端支持部２０は、外周面から下部に突出して形成され、前記第１外側リム１１と対向するように同一の外径で下部に突出して形成された第２外側リム２２と、前記貫通孔２１の内周面に沿って前記第１内側リム１２と対向するように下部に突出して形成された第２内側リム２３と、を備える（図３参照）。
【００３８】
前記第２外側リム２２と前記第２内側リム２３との間には第２接着部２４が備えられており、前記第２接着部２４にはフィルタ４０の上端が接着される。また、前記第２内側リム２３には後述の連結部３０の上端が収容され、前記第２内側リム２３の内側が連結部３０の上部と接して前記第２接着部２４により互いに固定される。
【００３９】
前記連結部３０は、前記貫通孔２１と同一のサイズを有して、前記下端支持部１０と前記上端支持部２０とを連結し、網の形態からなる。
【００４０】
実際には、前記連結部３０の下部が前記下端支持部１０の第１内側リム１２と接し、前記連結部３０の上部が前記上端支持部２０の第２内側リム２３の内側と接して、前記第１接着部１３および前記第２接着部２４により固定される。
【００４１】
前記連結部３０は、前記フィルタ４０によって前記フィルタ４０の内側に空気が濾過される際に、前記フィルタ４０の内周面を支持して前記フィルタ４０が縮まることを防止することで、前記フィルタ４０の形状を保持させる役割を果たす。
【００４２】
前記フィルタ４０は、内側に前記連結部３０が挿入され、両側端部が前記下端支持部１０の上部と上端支持部２０の下部にそれぞれ接着されており、周方向に沿って内側および外側に交互に蛇腹状をなす星状に形成されるように、内側および外側にそれぞれ突出して形成された多数の内、外側突出部４１、４２を有する。
【００４３】
前記フィルタ４０の下端は、前記第１外側リム１１と前記第１内側リム１２との間に備えられた前記第１接着部１３に接着され、前記フィルタ４０の上端は、前記第２外側リム２２と前記第２内側リム２３との間に備えられた前記第２接着部２４に接着される。
【００４４】
前記フィルタ４０の長さは１〜３ｍ程度である。
【００４５】
尚、前記フィルタ４０は、空気との接触面積を広げて濾過効率を高めるようにすることが好ましい。そのために、前記フィルタ４０は、周方向に沿って内側および外側に交互に蛇腹状をなす星状に形成されるように、内側および外側にそれぞれ突出して形成された多数の内、外側突出部４１、４２を有する。
【００４６】
このように星状に形成される場合、前記フィルタ４０の濾過効率を高めることができるだけでなく、前記フィルタ４０の上下方向への強度も向上させることができる。
【００４７】
本発明の前記フィルタの材質としては、ポリエステル、ポリプロピレン、メタ−アラミド（ｍｅｔａ−ａｒａｍｉｄｅ）、ポリフェニレンスルフィド（ｐｏｌｙ  ｐｈｅｎｙｌｅｎｅ  ｓｕｌｆｉｄｅ；ｐｐｓ）、ガラス繊維（ｆｉｂｅｒ  ｇｌａｓｓ）、アクリル（ａｃｒｙｌｉｃ）などの他にも、合成樹脂および環境にやさしい素材など、何れも可能である。
【００４８】
前記バネ５０は、前記フィルタ４０の長さが１〜３ｍ程度であるため、図１および図２のように、前記フィルタ４０の長さ方向に沿って多数個が離隔して設けられ、図１のように、前記フィルタ４０の外周縁に接して設けられる。前記バネ５０は、前記フィルタ４０の外周面に積もった異物の除去時に前記貫通孔２１を介して圧縮空気が投入される際に、前記フィルタ４０が外側に拡開することを拘束することで前記フィルタ４０の形状を保持させ、前記フィルタ４０が元の状態に復元するように弾性力を提供するものであって、コイル状からなる。
【００４９】
そのため、ポリシング時に、縦部材と円形リングまたは螺旋状リングからなるフィルタ形状保持部の拘束によってフィルタの膨張が抑えられる従来のフィルタ支持構造とは異なって、フィルタ４０の膨張による変形および損傷をバネ５０の弾性により防止することができ、ポリシング時にフィルタに傷が残るか、星状のリングとフィルタの繰り返される衝突によってフィルタが凹陥する変形または破れる損傷が全然ないため、フィルタの寿命を延ばすことができる効果がある。
【００５０】
前記バネ固定具６０は、前記フィルタ４０の外側突出部４１の何れか１つに固定され、それぞれの前記バネ５０の両端部をそれぞれ固定させるものであって、前記バネ５０の個数と同一に多数個からなる。
【００５１】
前記バネ固定具６０は、前記フィルタ４０の外側突出部４１に固定されて前記バネ５０の両端部を固定させるために、２つの形態で備えられてもよい。
【００５２】
前記バネ固定具６０の第１形態は、図４および図６のように、バネ用固定板６１および締結部６４からなる。
【００５３】
前記バネ用固定板６１は板状からなり、前記バネ５０の両端部に備えられたコイル５１が前記外側突出部４１の両側に接した状態で、前記外側突出部４１の両側にそれぞれ接するように設けられる。また、前記バネ用固定板６１は、両側に結合孔６１ａがそれぞれ形成されており、一対からなる。
【００５４】
前記締結部６４は、それぞれの前記バネ用固定板６１の結合孔６１ａにそれぞれ結合され、一対の前記バネ用固定板６１を互いに固定締結させる役割を果たす。
【００５５】
この際、前記外側突出部４１には、前記結合孔６１ａと相応するように、前記締結部６４が挿入される挿入孔４１ａが形成される。前記挿入孔４１ａは、フィルタ４０の外側突出部４１の何れか１つに、前記バネ５０が設けられるべき部位に相応するように、前記外側突出部およびバネ用固定板６１が固定されるべき前記外側突出部４１に穿孔して形成する。
【００５６】
上記のように構成されたバネ固定具６０は、次のような方法により、フィルタ４０に固定されてバネ５０を固定させる。
【００５７】
先ず、バネ５０の両端部に備えられたコイル５１が、それぞれの前記外側突出部およびバネ用固定板６１の互いに向かい合う面に位置するようにし、バネ５０の両端部が前記外側突出部４１に接するようにした状態で、前記締結部６４を前記外側突出部およびバネ用固定板６１の両側に形成された前記結合孔６１ａに締結させることで、前記外側突出部およびバネ用固定板６１を互いに結合させて固定させる。このように前記締結部６４によって前記外側突出部およびバネ用固定板６１を互いに結合させると、一対の前記外側突出部およびバネ用固定板６１の間に、バネ５０の両端部に備えられたコイル５１と前記外側突出部４１がともに位置することになり、一対の前記外側突出部およびバネ用固定板６１が前記外側突出部４１に強固に固定される。
【００５８】
前記バネ固定具６０の第２形態は、図７および図８のように、バネ固定板６２、外側突出部固定用固定板６３、および締結部６４の構成を採択する。
【００５９】
前記バネ固定板６２は板状からなり、前記外側突出部４１に垂直するように設けられる。前記バネ固定板６２の左右両側には、前記バネ５０の両端部に備えられたコイル５１が載置されて固定されるバネ固定溝６２ａがそれぞれ備えられる。また、前記バネ固定板６２は、中央下端から上部に長く形成され、前記外側突出部４１が挿入されて載置されるように形成された外側突出部挿入溝６２ｂを有する。
【００６０】
前記外側突出部固定用固定板６３は板状からなり、前記外側突出部４１の両側に接してそれぞれ設けられ、それらを互いに結合するための結合孔６３ａが両側にそれぞれ形成される。前記外側突出部固定用固定板６３は、中央下端から上部に長く形成され、前記バネ固定板６２が挿入されるように形成されたバネ固定板挿入溝６３ｂを有する。
【００６１】
前記締結部６４は、それぞれの前記外側突出部固定用固定板６３の結合孔６３ａにそれぞれ結合され、一対の前記外側突出部固定用固定板６３を互いに固定締結させる役割を果たす。
【００６２】
この際、前記外側突出部４１は、前記結合孔６３ａと相応し、前記締結部６４が挿入されるように形成された挿入孔４１ａを有する。前記挿入孔４１ａは、フィルタ４０の外側突出部４１の何れか１つに、前記バネ５０が設けられるべき部位に相応するように、前記外側突出部固定用固定板６３が固定されるべき前記外側突出部４１に穿孔して形成する。
【００６３】
上記のように構成されたバネ固定具６０は、次のような方法により、フィルタ４０に固定されてバネ５０を固定させる。
【００６４】
先ず、前記フィルタ４０の外側突出部４１の何れか１つを、中央下端から上部に長く形成された前記バネ固定板６２の外側突出部挿入溝６２ｂに挿入する。この際、前記バネ固定板６２が前記外側突出部４０に垂直するように挿入することで、前記バネ固定板６２を前記外側突出部４１に結合させる。前記バネ固定板６２を前記外側突出部４０に垂直するように挿入して結合させた後には、前記外側突出部固定用固定板６３の中央下端から上部に長く形成されたバネ固定板挿入溝６３ｂに前記バネ固定板６２を挿入することで、前記外側突出部４１に結合された前記バネ固定板６２に前記外側突出部固定用固定板６３を結合させる。この際、１つの外側突出部固定用固定板６１は前記外側突出部４１の一側面に接するようにし、他の１つの外側突出部固定用固定板６１は前記外側突出部４１の他側面に接するようにしながら、前記外側突出部４１に結合された前記バネ固定板６２に前記外側突出部固定用固定板６３を結合させる。このように前記外側突出部４１に結合された前記バネ固定板６２に前記外側突出部固定用固定板６３を結合させると、前記バネ固定板６２と前記外側突出部固定用固定板６３とが互いに十字状に結合される。尚、前記外側突出部固定用固定板６３には、中央下端から上部に長く形成されたバネ固定板挿入溝６３ｂが形成されているため、前記バネ固定板挿入溝６３ｂに前記バネ固定板６２が挿入されると、前記外側突出部固定用固定板６３の上部により、前記バネ固定板６２が上部に離脱されることが防止される。
【００６５】
前記外側突出部４１に結合された前記バネ固定板６２に前記外側突出部固定用固定板６３を結合させた後には、前記締結部６４を、前記外側突出部固定用固定板６３の両側に形成された前記結合孔６３ａに締結させることで、前記外側突出部固定用固定板６３を互いに結合させて固定させる。このように前記締結部６４により前記外側突出部固定用固定板６３を互いに結合させると、一対の前記外側突出部固定用固定板６３の間に前記外側突出部４１が位置することになり、一対の前記外側突出部固定用固定板６３が前記外側突出部４１に強固に固定される。一対の前記外側突出部固定用固定板６３が前記外側突出部４１に固定されると、前記外側突出部固定用固定板６３の上部により、前記バネ固定板６２が上部に離脱されることが防止されることとなり、前記バネ固定板６２も固定されるのである。
【００６６】
前記バネ固定板６２は、前記外側突出部固定用固定板６３の上部により、前記バネ固定板６２が上部に離脱されることが防止されるため、前記バネ固定板６２が固定される。しかし、前記バネ固定板６２の外側突出部挿入溝６２ｂに、前記外側突出部４１に垂直するように前記外側突出部４１が挿入されるため、前記バネ固定板６２が前記フィルタ４０の長さ方向で左右流動され得る。このように、前記バネ固定板６２の、前記フィルタ４０の長さ方向における左右流動が発生すると、前記バネ固定板６２のバネ固定溝６２ａに固定されたバネ５０の流動も発生することとなるため、前記バネ固定板６２の左右流動を防止するようにすることが好ましい。
【００６７】
前記バネ固定板６２の前記フィルタ４０の長さ方向における左右流動を防止するために、前記バネ固定板６２の中央上端に固定板載置溝６２ｃを備える。
【００６８】
前記固定板載置溝６２ｃは、前記バネ固定板６２の中央上端に形成され、前記バネ固定板挿入溝６３ｂに挿入された前記バネ固定板６２に一対の外側突出部固定用固定板６３の上部が載置されるようにすることで、前記バネ固定板６２の前記フィルタ４０の長さ方向における左右流動を防止させる役割を果たす。
【００６９】
前記バネ固定板６２の上端に前記固定板載置溝６２ｃが形成される場合、前記バネ固定板６２に外側突出部固定用固定板６３を結合させる際に、前記バネ固定板６２に外側突出部固定用固定板６３の上部が載置されることとなり、載置された前記外側突出部固定用固定板６３の上部により、前記バネ固定板６２の前記フィルタ４０の長さ方向における左右流動が防止される。
【００７０】
尚、本発明は、ポリシング後に、前記フィルタ４０の星状に突出した内、外側突出部４１が、間隔が互いに一定な軸対称を成すようにするために、図２のように、前記バネ５０の１つのコイル５１と、それと隣接したコイル５１との間に、１つの前記外側突出部４１がそれぞれ挿入されることが好ましい。
【００７１】
前記バネ５０の１つのコイル５１と、それと隣接したコイル５１との間に１つの前記外側突出部４１がそれぞれ挿入されると、１つの前記外側突出部４１と、それと隣接した前記外側突出部４１との間の間隔が一定となり、同一の弾性力を受けることになるため、前記フィルタ４０が全体的に軸対称を成すことになる。
【００７２】
前記バネ５０の１つのコイル５１と、それと隣接したコイル５１との間に１つの前記外側突出部４１がそれぞれ挿入されると、図１のように、前記バネ５０が前記フィルタ４０の外周縁に接して設けられることに比べて、前記フィルタ４０が全体的に軸対称を成すことができる。
【００７３】
このように、本発明は、星状に突出した内、外側突出部４１が一定間隔を保持すると、突出部間の間隔が広い所で集中して濾過が行われることが防止され、フィルタの全体にわたって均一に濾過が行われるため、効率的な濾過が可能となり、集塵効率を高めることができる。
【００７４】
尚、前記締結部６４はボルトとナットからなってもよいが、ボルトとナットは、互いに締結するのに時間が多くかかるため、締結時間の短縮および前記外側突出部４１の挿入孔４１ａの部位におけるシールを考慮して、リベットからなることが好ましい。
【００７５】
前記フィルタ４０は、板状からなるフィルタが、周方向に沿って内側および外側に交互に蛇腹状をなす星状に形成されるように、内側および外側にそれぞれ突出した多数の内外側突出部４１が形成されるように折り畳まれて形成され、側端部の部位に位置した外側突出部４１を互いに長さ方向に接着または裁縫する接着部４１ｂを備えて（図７および図８参照）、円筒状に形成されることが一般的である。
【００７６】
この際、前記バネ固定具６０の外側突出部固定用固定板６３は、接着部４１ｂが備えられた前記フィルタ４０の外側突出部４１に固定されるようにすることが好ましい。
【００７７】
このように、前記バネ固定具６０の外側突出部固定用固定板６３は、接着部４１ｂが備えられた前記フィルタ４０の外側突出部４１に固定されると、接着または裁縫する接着部４１ｂの接着力を補強する役割もする。
【００７８】
尚、前記バネ５０の離隔距離は、前記下端支持部１０の方向に向かって次第に減少することが好ましい。
【００７９】
前記バネ５０の離隔距離が前記下端支持部１０の方向に向かって次第に減少するようにする理由は、前記フィルタ４０の外周面に積もった異物の除去時に前記貫通孔２１を介して圧縮空気が投入される際に、前記下端支持部１０に近いほど、圧縮空気による圧力がより大きくかかるため、前記フィルタ４０の形状を効率的に保持するためのことである。
【００８０】
また、前記フィルタ４０の内周面および外周面に接し、前記フィルタ４０と同様に周方向に沿って内側および外側に交互に蛇腹状をなす星状に形成された金属網（不図示）がさらに備えられることが好ましい。
【００８１】
前記金属網は、前記フィルタ４０の内周面と外周面に接し、前記フィルタ４０の濾過時および前記フィルタ４０の外周面に積もった異物の除去時に前記貫通孔２１を介して圧縮空気が投入される際に、前記フィルタ４０の形状を保持するように強度を付与する役割を果たす。前記金属網も、前記フィルタ４０と同様に、周方向に沿って内側および外側に交互に蛇腹状をなす星状に形成される。
【００８２】
このように、本発明は金属網を備えることで、フィルタ４０の内周面と外周面でそれぞれフィルタ４０の形状が保持するように強度を付与することにより、前記フィルタ４０の濾過効率を高めることができるだけでなく、前記フィルタ４０の長さ方向における強度も増加させることができる。
【００８３】
本発明のそれぞれのバネ固定具６０と、前記バネ固定具６０に固定されるそれぞれのバネ５０の個数は、１〜５個であってもよい。
【００８４】
図１、図２、図４〜６、図７、図９では、それぞれの前記バネ固定具６０に固定されるそれぞれのバネ５０の個数が１つであることを示した。
【００８５】
それぞれの前記バネ固定具６０の個数が２個〜５個であってもよく、この場合には、それぞれの前記バネ固定具６０が、フィルタを中心として等角度を成し、前記フィルタ４０の外側突出部４１に固定される。この際、前記バネ固定具６０に固定されるそれぞれの前記バネ５０の個数は、それぞれの前記バネ固定具６０の個数と相応するように備えられる。
【００８６】
図１０には、それぞれの前記バネ固定具６０と、前記バネ固定具６０に固定されるそれぞれのバネ５０の個数が３個であることを示した。この際、それぞれの前記バネ固定具６０は、１２０度の角度を成して前記フィルタ４０の外側突出部４１に固定され、それぞれのバネ５０は、一側端部が１つの前記バネ固定具６０に固定され、他側端部は、それと隣接した他の前記バネ固定具６０に固定される。
【００８７】
以上、添付された図面を参照して本発明の実施例を説明したが、本発明は前記実施例に 限定されるのではなく、互いに異なる様々な形態で具現可能であり、本発明が属する技術分野で通常の知識を有する者は、本発明がその技術的思想や必須の特徴を変更しないまま他の具体的な形態として実施できることを理解できるはすである。従って、以上で記述した実施例はすべての面において例示的なものであり限定的ではないものと理解しなければならない。
【図１】
2019517388.tif 000003
【図２】
2019517388.tif 000004
【図３】
2019517388.tif 000005
【図４】
2019517388.tif 000006
【図５】
2019517388.tif 000007
【図６】
2019517388.tif 000008
【図７】
2019517388.tif 000009
【図８】
2019517388.tif 000010
【図９】
2019517388.tif 000011
【図１０】
2019517388.tif 000012
【国際調査報告】
2019517388.tif 000013
2019517388.tif 000014
2019517388.tif 000015
2019517388.tif 000016